(57)【要約】【課題】スライドシートのスライド動作に追従するワイヤハーネスを保護材で外装した状態で収容する余長収容ケースに、該ワイヤハーネスの保護材を容易に固定する。【解決手段】車両に搭載されるスライドシートまたは車体のフロアに固定され、スライドシートのスライド動作に追従するワイヤハーネスを保護材で外装した状態でターンさせて収容する余長収容ケースを備え、該余長収容ケースの前記ワイヤハーネスをスライドシート内またはフロア内に引き出す出口部の端縁に、前記ワイヤハーネスの保護材の端部に固定した取付部材を凹凸嵌合で取り付けている。【選択図】図９
2014230339.tif 000002
【特許請求の範囲】
【請求項１】
車両に搭載されるスライドシートまたは車体のフロアに固定され、スライドシートのスライド動作に追従するワイヤハーネスを保護材で外装した状態でターンさせて収容する余長収容ケースを備え、
前記余長収容ケースの前記ワイヤハーネスをスライドシート内またはフロア内に引き出す出口部の端縁に、前記ワイヤハーネスの保護材の端部に固定した取付部材を凹凸嵌合で取り付けていることを特徴とする余長収容ケースへのワイヤハーネスの保護材の固定構造。
【請求項２】
前記取付部材は、長さ方向の一端側で連結した上片と下片とで前記余長収容ケースの出口部の端縁を挟持する構造とし、前記上片には前記下片より長く突出させる突出部を設けて該突出部の上面に断面矩形状の前記保護材の端部を載置してテープ巻き固定すると共に、前記下片の上面には前記出口部の端縁に設けた被係止穴に嵌合する係止凸部を設けている請求項１に記載の余長収容ケースへのワイヤハーネスの保護材の固定構造。
【請求項３】
前記上片の上面に、テープ巻き固定する前記保護材の端部の先端面と当接させる位置決めリブを突設している請求項２に記載の余長収容ケースへのワイヤハーネスの保護材の固定構造。
【請求項４】
断面矩形状の前記保護材の一側面を該保護材の端部の開口端より長さ方向に延在させて突出片とする一方、前記取付部材には、前記保護材の端部を長さ方向の一端側から内嵌する断面矩形状の筒状部を設けていると共に、前記保護材の突出片を重ねてテープ巻き固定するテープ巻き舌片を前記筒状部の長さ方向の他端側の端面より突設し、かつ、前記筒状部の対向する側壁の外面に凹部を設けて、前記出口部の端縁を挟む両側壁の内面に設けた凸部を前記凹部に嵌合させる構造としている請求項１に記載の余長収容ケースへのワイヤハーネスの保護材の固定構造。
【請求項５】
前記筒状部の３つの側壁に、前記保護材の端部の側面のうち前記突出片を形成する側面以外の３つ側面を長さ方向の他端側まで貫通させることなく前記側壁内面と側壁外面との間に嵌め込む嵌合溝を設けている請求項４に記載の余長収容ケースへのワイヤハーネスの保護材の固定構造。
【請求項６】
前記保護材はキャタピラ型の保護材であり、該保護材は、帯状の平板に長さ方向に延在すると共に幅方向に間隔をあけて設けた４本の折り曲げラインを折り曲げて四角筒状とすると共に、長さ方向に間隔をあけて幅方向に切り込みを入れて一側面を連続させると共に他側面を分離し、一方側には屈曲するが他方側には屈曲しない状態で連結している請求項１乃至請求項５のいずれか１項に記載の余長収容ケースへのワイヤハーネスの保護材の固定構造。
【請求項７】
前記余長収容ケースの出口部は、閉鎖された周壁で囲まれた穴状としている請求項１乃至請求項６のいずれか１項に記載の余長収容ケースへのワイヤハーネスの保護材の固定構造。
【発明の詳細な説明】
【技術分野】
【０００１】
本発明は余長収容ケースへのワイヤハーネスの保護材の固定構造に関し、詳しくは、スライドシートまたは車体フロアに固定され、スライドシートのスライド動作に追従するワイヤハーネスを保護材で外装した状態でターンさせて収容する余長収容ケースからワイヤハーネスをスライドシート内または車体フロア内に引き出す余長収容ケースの出口部に、該ワイヤハーネスの保護材の端部を容易にかつ省スペースで固定できるものである。
【背景技術】
【０００２】
自動車のシートには電動リクライニング装置やシートヒータなど種々の電装品が装備されており、これらの電装品に給電するために、車体フロアからシートに給電用のワイヤハーネスが配索されている。スライドシートの場合には、ワイヤハーネスをシートのスライド動作に追従させる必要があり、そのためワイヤハーネスに余長部を持たせて配索している。自動車のスライドシートのスライド寸法は通常最大２４０ｍｍ〜３００ｍｍ程度である。また、近時、座席前方または座席後方に大きな空間をあけることができるように、スライド寸法を最大４００ｍｍ〜１２００ｍｍ程度としたロングスライドシートも提供されている。
【０００３】
この種の車体フロアとスライドシートとの間に配索するハーネス配索装置として、特開２０１０−１９３５９９号公報（特許文献１）には図１３〜図１５に示す装置が提案されている。該装置では、スライドシート１００用のシートレール１０１の側方に隣接してワイヤハーネス１１０を挿通するハーネスレール１０２がフロアに敷設されると共に、該ハーネスレール１０２の側方に隣接してワイヤハーネスの余長収容ケース１０３が設置されている。スライドシート１００に配線されるワイヤハーネス１１０は、スライドシート１００と連動してハーネスレール１０２を摺動するスライダ１０４内に通され、コルゲートチューブからなる保護材１１１で外装された状態でハーネスレール１０２に挿通される。さらに、前記保護材１１１で外装されたワイヤハーネス１１０はハーネスレール１０２と連続する余長収容ケース１０３の入口部１０３ａから余長収容ケース１０３内に引き込まれて余長部が該余長収容ケース１０３内に収容されると共に、出口部１０３ｂからワイヤハーネス１１０がフロア内に引き出されてフロアハーネス（図示せず）と接続される。図１４（Ａ）のようにスライダ１０４がハーネスレール１０２の前端側（Ａ側）に位置しているときには、ワイヤハーネス１１０の余長部がＵ字状に折り返された状態で余長収容ケース１０３内に収容され、図１４（Ｂ）のようにスライダ１０４がスライドシート１００に連動して後端側（Ｂ側）に移動するにつれて余長収容ケース１０３内に収容されていたワイヤハーネス１１０の余長部が入口部１０３ａからハーネスレール１０２に引き出されてＵ字状の屈曲部Ｃが余長収容ケース１０３のＢ側からＡ側へと移動する。
【０００４】
余長収容ケース１０３内に収容されるワイヤハーネス１１０に外装する保護材の端部１１１ａは、ワイヤハーネス１１０が余長収容ケース１０３からフロア内に引き出される出口部１０３ｂ付近に固定される。従来では、例えば図１６に示すように、余長収容ケース１０３の出口部１０３ｂの端縁にテープ巻き舌片１０３ｃを突設し、該テープ巻き舌片１０３ｃに前記保護材１１１の端部１１１ａをテープ（Ｔ）巻き固定する等の方法が採られている。
【先行技術文献】
【特許文献】
【０００５】
【特許文献１】特開２０１０−１９３５９９号公報
【発明の概要】
【発明が解決しようとする課題】
【０００６】
しかし、余長収容ケースによっては出口部付近のスペースが狭く、出口部の端縁にテープ巻き舌片を突設して保護材の端部をテープ巻き固定することができなかったり、たとえ可能であってもテープ巻きしにくく作業性が悪化したりするおそれがある。
【０００７】
本発明は前記問題に鑑みてなされたもので、スライドシートのスライド動作に追従するワイヤハーネスを保護材で外装した状態でターンさせて収容する余長収容ケースの出口部の端縁に、該ワイヤハーネスの保護材の端部を容易にかつ省スペースで固定できることを課題としている。
【課題を解決するための手段】
【０００８】
前記課題を解決するため、本発明は、車両に搭載されるスライドシートまたは車体のフロアに固定され、スライドシートのスライド動作に追従するワイヤハーネスを保護材で外装した状態でターンさせて収容する余長収容ケースを備え、
前記余長収容ケースの前記ワイヤハーネスをスライドシート内またはフロア内に引き出す出口部の端縁に、前記ワイヤハーネスの保護材の端部に固定した取付部材を凹凸嵌合で取り付けていることを特徴とする余長収容ケースへのワイヤハーネスの保護材の固定構造を提供している。
【０００９】
前記のように、本発明では、余長収容ケースの出口部の端縁に、ワイヤハーネスの保護材の端部を固定した取付部材を凹凸嵌合で取り付ける構成としている。よって、取付部材にワイヤハーネスの保護材の端部を予め固定しておけば、該取付部材を余長収容ケースの出口部の端縁に凹凸嵌合させるだけで、前記出口部の端縁と保護材の端部との固定が完了するため、余長収容ケースの出口部付近での固定作業が容易になりかつ省スペースで固定できる。本発明は、特に、余長収容ケースの出口部が閉鎖された周壁で囲まれた穴状とされ、該出口部付近でテープ巻き等の固定作業を行うスペースが確保しにくい場合に有効である。
【００１０】
前記取付部材は、長さ方向の一端側で連結した上片と下片とで前記余長収容ケースの出口部の端縁を挟持する構造とし、前記上片には前記下片より長く突出させる突出部を設けて該突出部の上面に断面矩形状の前記保護材の端部を載置してテープ巻き固定すると共に、前記下片の上面には前記出口部の端縁に設けた被係止穴に嵌合する係止凸部を設けている。
【００１１】
前記取付部材によれば、上片の突出部に保護材の端部を容易にテープ巻き固定できると共に、該取付部材の上片と下片とで余長収容ケースの出口部の端縁を挟持させ、下片の係止凸部を該端縁の下面に沿わせながらスライドさせるだけで、該端縁に設けた被係止穴に係止凸部を容易に嵌合させることができる。なお、出口部の端縁のうち、下片の係止凸部をスライドさせる被係止穴より手前側の端縁を他の部分より薄肉として下面側にガイド溝を形成し、係止凸部を被係止穴に嵌合しやすくしていることが好ましい。
【００１２】
また、前記上片の上面に、テープ巻き固定する前記保護材の端部の先端面と当接させる位置決めリブを突設していることが好ましい。前記位置決めリブにより取付部材に固定する保護材の端部の位置合わせを容易に行うことができる。
【００１３】
また、取付部材を以下の構造としてもよい。すなわち、断面矩形状の前記保護材の一側面を該保護材の端部の開口端より長さ方向に延在させて突出片とする一方、前記取付部材には、前記保護材の端部を長さ方向の一端側から内嵌する断面矩形状の筒状部を設けていると共に、前記保護材の突出片を重ねてテープ巻き固定するテープ巻き舌片を前記筒状部の長さ方向の他端側の端面より突設し、かつ、前記筒状部の対向する側壁の外面に凹部を設けて、前記出口部の端縁を挟む両側壁の内面に設けた凸部を前記凹部に嵌合させる構造としてもよい。
【００１４】
前記のように、保護材の端部を取付部材の筒状部の一端側から内嵌すると共に、該保護材の端部の突出片を前記筒状部の他端側より突設したテープ巻き舌片に重ねてテープ巻きすることで、保護材の端部を取付部材に強固に固定することができる。
また、余長収容ケースの出口部の端縁に対して前記取付部材をケース厚さ方向に挿し込み、筒状部の対向する側壁外面に設けた凹部と、前記出口部の端縁を挟む両側壁の内面に設けた凸部とを嵌合させるだけで、前記出口部の端縁への取付部材の取り付けが行えるため、狭小スペースである出口部側での固定作業が不要となり、作業性を高めることができる。
【００１５】
特に、前記筒状部の３つの側壁に、前記保護材の端部の側面のうち前記突出片を形成する側面以外の３つ側面を長さ方向の他端側まで貫通させることなく前記側壁内面と側壁外面との間に嵌め込む嵌合溝を設けていることが好ましい。前記のように、保護材の端部の３つの側面を前記筒状部の嵌合溝に嵌め込んで該３つの側面の先端を前記嵌合溝の溝底面に突き当てるようにしているため、取付部材に固定する保護材の端部の位置合わせを容易に行うことができる。
【００１６】
前記保護材としてキャタピラ型の保護材が好適に用いられる。該保護材は帯状の平板に長さ方向に延在すると共に幅方向に間隔をあけて設けた４本の折り曲げラインを折り曲げて四角筒状とすると共に、長さ方向に間隔をあけて幅方向に切り込みを入れて一側面を連続させると共に他側面を分離し、一方側には屈曲するが他方側には屈曲しない状態で連結していることが好ましい。
【００１７】
前記四角筒状の前記キャタピラ型の保護材は、前記のように帯状の平板に長さ方向に延在する４本の折り曲げラインを幅方向の中間部に間隔をあけて設け、かつ、該幅方向の両側縁の一方側に係止突片を突設すると共に他方側に前記係止突片を挿入係止する係止穴を設け、前記折り曲げラインに沿って折り曲げて四角筒形状とすると共に係止突片を係止穴に挿入係止して四角筒状を保持し、さらに前記４本の折り曲げラインを結ぶ幅方向の切り込みラインを長さ方向に間隔をあけて設けて四角筒の３辺を分離して折り曲げ自在に連結された形状としている。
【００１８】
前記四角筒状のキャタピラ型の保護材は、押出成形した平板を打抜加工して形成し、これを折り曲げ組み立てて形成でき、従来のワイヤハーネス外装材のコルゲートチューブより安価に形成でき、かつ、運搬時は平板形状のままであるためかさばらない。しかも、閉鎖された筒状でないため、ワイヤハーネスに容易に外装することができる。
【発明の効果】
【００１９】
前述したように、本発明では、余長収容ケースの出口部の端縁にワイヤハーネスの保護材の端部を固定した取付部材を凹凸嵌合で取り付ける構成としている。よって、取付部材にワイヤハーネスの保護材の端部を予め固定しておけば、該取付部材を余長収容ケースの出口部の端縁に凹凸嵌合させるだけで、前記出口部の端縁と保護材の端部との固定が完了するため、余長収容ケースの出口部付近での固定作業が容易になりかつ省スペースで固定できる。
【図面の簡単な説明】
【００２０】
【図１】第１実施形態におけるスライドシートのワイヤハーネス配索装置を示す概略全体斜視図である。
【図２】第１実施形態の要部断面図である。
【図３】（Ａ）は余長収容ケース内のワイヤハーネスのターン状態を示す側面図、（Ｂ）は余長収容ケースとスライダとの組み付け状態を示す図面である。
【図４】ハーネスレールを示し、（Ａ）は斜視図、（Ｂ）は断面図である。
【図５】スライドシートの移動とワイヤハーネスの移動の関係を示す図面である。
【図６】ワイヤハーネスに外装する保護材を示し、（Ａ）は斜視図、（Ｂ）は拡大展開図、（Ｃ）は要部断面図である。
【図７】（Ａ）は取付部材を示す斜視図、（Ｂ）は取付部材に保護材の端部を固定した状態を示す斜視図、（Ｃ）は（Ｂ）の側面図である。
【図８】（Ａ）は余長収容ケースの出口部を示す要部拡大正面図、（Ｂ）は（Ａ）のＤ−Ｄ線断面図、（Ｃ）は余長収容ケースの出口部の端縁に、保護材を固定した取付部材を取り付けている途中の状態を示す断面図である。
【図９】（Ａ）は余長収容ケースの出口部の端縁に、保護材を固定した取付部材を取り付けた状態を示す要部拡大正面図、（Ｂ）は（Ａ）のＥ−Ｅ線断面図である。
【図１０】（Ａ）は第２実施形態で用いる取付部材の斜視図、（Ｂ）は取付部材をＦ方向から見た図、（Ｃ）は取付部材をＧ方向から見た図である。
【図１１】（Ａ）は保護材の端部を示す斜視図、（Ｂ）は取付部材に保護材の端部を固定した状態を示す斜視図、（Ｃ）は（Ｂ）のＨ−Ｈ線断面図、（Ｄ）は（Ｂ）の保護材の端部から引き出したワイヤハーネスと取付部材のテープ巻き舌片とをテープ巻きした状態を示す斜視図である。
【図１２】（Ａ）は余長収容ケースの出口部を示す要部拡大正面図、（Ｂ）は余長収容ケースの出口部の端縁に、保護材を固定した取付部材を取り付けた状態を示す要部拡大正面図である。
【図１３】従来例を示し、（Ａ）は全体斜視図、（Ｂ）は（Ａ）のＩ−Ｉ線断面図である。
【図１４】（Ａ）、（Ｂ）は従来例の作動説明図である。
【図１５】従来例を示す図である。
【図１６】従来例を示す図である。
【発明を実施するための形態】
【００２１】
以下、本発明の実施形態を図面を参照して説明する。
図１乃至図９に本発明の第１実施形態を示す。
図１および図２に示すワイヤハーネス配索装置では、自動車に搭載する助手席側のスライドシート１を４００〜６００ｍｍ程度スライドできるロングスライドシートとし、該スライドシート１に装着した電装品（図示せず）に給電するために、フロアパネル２からスライドシート１へワイヤハーネス５を配線している。
【００２２】
スライドシート１のシートフレームの側板４の外面に余長収容ケース１０を垂直方向に固定している。該スライドシート１に左右一対で設けるシート脚部３をフロアパネル２上に支持台５０を介して搭載した左右一対のシートレール６にスライド自在に取り付けている。各シートレール６は図２に示す構造で、スライドシート１の座部下方に突出したシート脚部３の軸部３ａをシートレール６内に挿入し、軸部３ａから腕部３ｂを左右に延在させ、腕部３ｂの外面に軸支した車輪３ｃをシートレール６内の側部空間６ａに回動自在に嵌合している。シートレール６の中央の上面開口６ｃを挟む左右の側部空間６ａの上壁６ｆには、その上面に車室床材となるモール１５Ａ、１５Ｂを敷設している。
【００２３】
一方のシートレール６の側方のフロアには、該シートレール６の長さ方向の中間位置にハーネスレール７を設置し、前記余長収容ケース１０との間にスライダ９を架け渡している。該ハーネスレール７内に、フロアパネル２に配索するフロアハーネスＷ／Ｈから分岐したワイヤハーネス５を挿入し、該ハーネスレール７の上面に設けたスライダ摺動部７ａに前記スライダ９の下部９ｃを摺動自在に嵌合し、該スライダ９に前記ワイヤハーネス５を貫通している。該スライダ９の上部９ａは前記余長収容ケース１０のスライダ摺動部１０ａに摺動自在に嵌合し、該スライダの上部９ａから引き出すワイヤハーネス５を保護材３０で外装した状態で余長収容ケース１０の余長収容部１０ｂ内に挿入し、ターンさせた後に出口部１０ｅよりワイヤハーネス５を引き出してスライドシート１の内部へ配線している。出口部１０ｅは閉鎖された周壁１０ｉで囲まれた略円形の穴状としている。
【００２４】
前記余長収容ケース１０はシートフレームの側板４にボルト等で固定している。余長収容ケース１０にスライダ９を組み付け、ワイヤハーネス５を通した状態で、余長収容ケース１０およびスライダ９を覆うシートサイドカバー８をシートフレームの側板４に取り付けている。
【００２５】
該余長収容ケース１０は、図面では区別して示していないが、比較的浅底の本体と該本体にワイヤハーネスを収容した後に被せる蓋とからなる。図３に示すように、余長収容ケース１０は前後方向に直線状に延在する前記スライダ摺動部１０ａと、その上部に仕切壁１０ｃを介して横向き長円形状の前記余長収容部１０ｂを設け、スライダ摺動部１０ａと余長収容部１０ｂとを円弧部１０ｄで連通させている。長円形状とした余長収容部１０ｂ内にワイヤハーネス５をＵターンさせ、後部中央に設けた前記出口部１０ｅからスライドシート１内に引き出すようにしている。
【００２６】
前後方向に直線状に延在させるスライダ摺動部１０ａは上部の余長収容部１０ｂより前方へ突出させている。スライダ摺動部１０ａの下面に図３（Ｂ）に示すように、前後方向に延在するスライダ引出開口１０ｆを設け、該スライダ摺動部１０ａから突出するスライダ９が、スライドシート１の前後移動に応じてハーネスレール７のスライダ摺動部７ａ内を摺動できるようにしている。
【００２７】
前記ハーネスレール７は、上部を幅狭とすると共に下部の幅を広げたボックス形状で、上部に前後方向に延在する前記スライダ摺動部７ａを設けている。該スライダ摺動部７ａは上面開口の略凹状で、スライダ９の下面９ｄを摺動自在に保持し、凹部中央に設けた開口７ｂからスライダ９内に貫通するワイヤハーネス５をボックス下部７ｃの空間に垂れ下がるように引き出している。ボックス下部７ｃの側壁の前後方向の中央にワイヤハーネス挿通用の開口７ｄを設け、該開口７ｄに近接した側壁下部にクランプ穴７ｅを設けている。開口７ｄから引き出すワイヤハーネス５にクランプ付きバンド５１を巻き付け、該クランプ付きバンド５１のクランプ５１ａをクランプ穴７ｅに挿入係止して、ワイヤハーネス５を固定している。該クランプ付きバンド５１で結束したワイヤハーネス５の先端にコネクタを取り付け、フロアハーネスＷ／Ｈの端末に取り付けたコネクタと嵌合接続している。
【００２８】
ハーネスレール７の上部のスライダ摺動部７ａ内をスライドシート１と連動してスライダ９が移動し、該スライダ９の移動に応じて図３（Ａ）および図５に示すように、スライダ９から引き出されるワイヤハーネス５が開口７ｄの近接位置の固定点Ｐ（クランプ５１ａ係止位置）を支点として振り子状に前後に揺動する構成としている。
【００２９】
前記スライダ９は、余長収容ケース１０のスライダ摺動部１０ａに摺動自在に嵌合する上部９ａと連続する中間部９ｂがスライダ摺動部１０ａの下面の前後方向に延在する引出開口１０ｆから下向きに突出し、中間部９ｂの下側をスライドシート１から離れる方向に屈曲させた後に、該スライダの下部９ｃを下向きに屈曲させ、ハーネスレール７のスライダ摺動部７ａに摺動自在に嵌合させている。スライダ９の上部９ａ、中間部９ｂおよび下部９ｃはワイヤハーネスを貫通できる角筒状として連通させている。
【００３０】
前記余長収容ケース１０内に摺動自在に収容するワイヤハーネス５に、図６（Ａ）に示す四角筒状のキャタピラ型の保護材３０を外装している。該保護材３０は図６（Ｂ）に示す帯状の連続した長尺材からなる平板４０を折り曲げて組み立てている。平板４０には、長さ方向Ｘに延在する４本の折曲ライン４１、４２、４３、４４を幅方向Ｙの中間部に間隔をあけて設け、平板４０を幅方向に５個の辺Ｓ１〜Ｓ５に区画し、折曲ライン４１〜４４を直角に折り曲げ、幅方向の両側辺Ｓ１とＳ５を重ねることで図６（Ａ）に示すように、四角筒状に組み立てている。
【００３１】
また、平板４０の幅方向の両側の一方側の辺Ｓ１の側縁に係止突片４５を長さ方向Ｘに間隔をあけて突設している。平板４０の他方側の辺Ｓ５に係止突片４５を挿入係止する細長い係止穴４６を設けている。平板４０を折曲ライン４１〜４４に沿って折り曲げ、辺Ｓ１とＳ５を重ねた状態で係止突片４５を係止穴４６に挿入係止することで、四角筒形状を保持できるようにしている。
【００３２】
平板４０には前記４本の折曲ライン４１〜４４を結ぶ幅方向Ｙの切込ライン４８を長さ方向Ｘに間隔をあけて設け、辺Ｓ２、Ｓ３、Ｓ４を分離している。切込ライン４８の中央部で辺Ｓ３の中央位置に直線を湾曲させた円弧状の切込４９を設け、長さ方向に隣接する一方側を円弧状に突出させ、他方を円弧状に窪ませ、凹凸嵌合部を設けている。
平板４０に設ける折曲ライン４１〜４４は、図６（Ｃ）に示すように、板厚の１／３程度の薄肉の断面円弧状のラインとしている。前記切込ライン４８、係止穴４６、係止突片４５はすべて平板を打抜いて形成している。
【００３３】
前記保護材３０は予め折曲ライン４１〜４４を折り曲げる一方、係止突片４５は係止穴４６に挿入せず、開いた状態でワイヤハーネス５の電線群を折り曲げた保護材３０の両側辺Ｓ１とＳ５の間の開口から挿入する。この電線群の挿入後に辺Ｓ１とＳ５を重ね、係止突片４５を係止穴４６に挿入係止し、電線群を四角筒の中に挿入した状態で外装する。
【００３４】
前記保護材３０は四角筒の３辺Ｓ２、Ｓ３、Ｓ４が切込ライン４８で長さ方向で分離され、重ねて係止した辺Ｓ１とＳ５が長さ方向で屈曲自在に連結された構成となり、かつ、分離された辺Ｓ３は、隣接する辺Ｓ３同士が円弧状切込で凹凸嵌合する状態となる。即ち、短尺な四角筒が屈曲自在に長さ方向に順次連結し、かつ、隣接する四角筒同士を凹凸嵌合させているため幅方向にずれない、キャタピラ状の保護材となる。
【００３５】
前記キャタピラ型の保護材３０を用いると、余長収容ケース１０のスライダ摺動部１０ａにガタつき無く内嵌できると共に、余長収容部１０ｂの本体の底面と蓋の下面に保護材３０の上下面がスライド自在に摺動し、安定した姿勢で余長収容部１０ｂ内を移動させることができる。なお、余長収容ケース１０内に収容するワイヤハーネス５に外装する前記キャタピラ型の保護材３０の一方の端部３０ｂをスライダ摺動部１０ａに摺動自在に嵌合するスライダの上部９ａに固定している一方、該保護材３０の他方の端部３０ａを、ワイヤハーネス５をスライドシート１側に引き出す出口部１０ｅの端縁１０ｇに固定している。
【００３６】
前記余長収容ケース１０に収容するワイヤハーネス５に外装する保護材３０の端部３０ａを余長収容ケース１０とは別材の取付部材１１に固定し、該取付部材１１を余長収容ケース１０の出口部１０ｅの端縁１０ｇに凹凸嵌合で取り付けている。
【００３７】
取付部材１１は、図７（Ａ）に示す構造を有している。樹脂成形品からなる取付部材１１は、長さ方向の一端側で、上下方向に立設する連結片１３を介して連結する上片１２と下片１４からなり、該上片１２と下片１４とで前記出口部１０ｅの端縁１０ｇを挟持させる構造としている。上片１２には下片１４より長く突出させる突出部１２ａを設け、該突出部１２ａの上面に保護材の端部３０ａを載置して該突出部１２ａと共にテープ（Ｔ１）巻き固定できるようにしている。また、上片１２の上面には、突出部１２ａにテープ巻き固定する保護材の端部３０ａの先端面３１と当接させる位置決めリブ１２ｂを設けている。一方、下片１４の上面には、余長収容ケース１０の出口部１０ｅの端縁１０ｇに設けた被係止穴１０ｈ［図８（Ａ）参照］に嵌合する係止凸部１４ａを設けている。
【００３８】
したがって、ワイヤハーネス５に外装した保護材の端部３０ａを図７（Ｂ）、（Ｃ）に示すように、取付部材１１の上辺の突出部１２ａの上面に載置し、保護材の端部３０ａの先端面３１を位置決めリブ１２ｂに当接させた状態で保護材の端部３０ａと突出部１２ａとをテープ（Ｔ２）巻き固定することにより、保護材の端部３０ａを取付部材１１に固定できる。ここで、保護材の端部３０ａの先端面３１を前記位置決めリブ１２ｂに当接させることで、取付部材１１に固定する保護材の端部３０ａの位置合わせを確実に行うことができる。
【００３９】
保護材の端部３０ａを取付部材１１に固定した後、該取付部材１１を図８（Ａ）に示す余長収容ケース１０の出口部１０ｅの端縁１０ｇに取り付ける。具体的には、図８（Ｃ）に示すように、取付部材１１の上片１２と下片１４とで出口部１０ｅの端縁１０ｇを挟持させて矢印方向に押し込み、被係止穴１０ｈより手前側の端縁１０ｇ−１の下面に沿ってスライドさせた下片１４の係止凸部１４ａが被係止穴１０ｈに嵌合することで取付部材１１の取付が完了する［図９（Ａ）、（Ｂ）］。なお、出口部１０ｅの端縁のうち、下片１４の係止凸部１４ａをスライドさせる被係止穴１０ｈより手前側の端縁１０ｇ−１を他の部分１０ｇ−２より薄肉として下面側にガイド溝を形成し、係止凸部１４ａを被係止穴１０ｈに嵌合しやすくしている。
【００４０】
前記構成としたワイヤハーネス配索装置で配索されるワイヤハーネス５のスライドシート１の前後移動に追従する動きについて、図５を参照して説明する。
図５中、ステップ＃７のスライドシート前端位置より少し後退したステップ＃１のスライドシートの位置が定常位置とすると、該位置では、余長収容部１０ｂ内でワイヤハーネスが前端側の短辺の内面に沿ってＵターンし最大長さで余長が吸収され、スライダ摺動部１０ａ内でスライダ９は後端側に位置する一方、ハーネスレール７内ではスライダ９は前後方向の中間に位置する。
＃１の定常位置から少し後退する＃２位置へ後退移動すると、まず、ハーネスレール７内でスライダ９が後退してワイヤハーネス５の余長を調整する。
＃２より後退して＃３位置へ移動すると、ハーネスレール７内でスライダ９はハーネスレール７の後端位置に達した後、余長収容部１０ｂからワイヤハーネスを引き出してスライダ摺動部１０ａでスライダ９が前進してワイヤハーネス５の余長を調整する。
＃３より後退して＃４のスライドシート後端位置へ移動すると、スライダ摺動部１０ａ内でスライダ９は前端位置まで移動してワイヤハーネス５の余長を調整する。
＃４のスライドシート後端位置から＃５の位置に前進すると、ハーネスレール７内でスライダ９が前進してワイヤハーネスの余長を調整する。
＃５より＃６の位置に前進すると、ハーネスレール７内で前端位置にスライダ９が達した後にスライダ摺動部１０ａ内でスライダ９が後退し、余長収容部１０ｂにワイヤハーネスが巻き込まれていき、ワイヤハーネスの余長を調整する。
＃６より＃７のスライドシート前端位置まで前進すると、余長収容部１０ｂへ更にワイヤハーネスが巻き込まれていき、スライダ摺動部１０ａ内でスライダ９が後退し、ワイヤハーネスの余長を調整する。
【００４１】
このように、スライドシート１の前後移動に応じて、まず、ハーネスレール７側でスライダ９が前後移動してワイヤハーネスの余長を調整する。その際、ハーネスレール７では前後方向の中央の固定点Ｐでワイヤハーネス５は固定されているため、スライダ９の前後移動に応じてワイヤハーネス５が固定点Ｐを支点として左右方向に振られる。
ハーネスレール７側でスライダ９が後端または前端に達すると、余長収容ケース１０側でスライダ９がスライダ摺動部１０ａ内で前後移動し余長収容部１０ｂ内でターンしているワイヤハーネスを出入させてワイヤハーネスの余長を調整する。
【００４２】
前記第１実施形態において、余長収容ケース１０の出口部１０ｅの端縁１０ｇに、ワイヤハーネス５の保護材３０の端部３０ａを固定した取付部材１１を凹凸嵌合で取り付ける構成としている。よって、取付部材１１にワイヤハーネス５の保護材３０の端部３０ａを予め固定しておけば、該取付部材１１を余長収容ケース１０の出口部１０ｅの端縁１０ｇに凹凸嵌合させるだけで、前記出口部１０ｅの端縁１０ｇと保護材の端部３０ａとの固定が完了するため、余長収容ケース１０の出口部１０ｅ付近での固定作業が容易になりかつ省スペースで固定できる。特に、本実施形態の余長吸収ケース１０のように、出口部１０ｅが閉鎖された周壁１０ｉで囲まれた穴状で、該出口部１０ｅ付近でテープ巻き等の固定作業を行うスペースが確保しにくい場合に有効である。
【００４３】
また、第１実施形態で用いる取付部材１１によれば、上片１２の突出部１２ａに保護材の端部３０ａを容易にテープ（Ｔ１）巻き固定できると共に、該取付部材１１の上片１２と下片１４とで余長収容ケース１０の出口部１０ｅの端縁１０ｇ−１を挟持させ、下片１４の係止凸部１４ａを該端縁１０ｇ−１の下面に沿わせながらスライドさせるだけで、端縁１０ｇに設けた被係止穴１０ｈに係止凸部１４ａを容易に嵌合させることができる。
【００４４】
図１０〜図１２に第２実施形態のワイヤハーネス保護材の固定構造を示す。
第２実施形態においても、余長収容ケース１０に収容するワイヤハーネス５に外装する保護材３０の端部３０ａを別部材からなる取付部材２１に固定し、該取付部材２１を余長収容ケース１０の出口部１０ｅの端縁１０ｇに凹凸嵌合で取り付けているが、第２実施形態では、保護材の端部３０ａおよび取付部材２１の構造を第１実施形態と相違させている。その他の点は第１実施形態と同様としている。
【００４５】
第２実施形態の保護材３０の端部３０ａは、図１１（Ａ）に示すように、一側面３０ａ−４を開口端３１より長さ方向に延在させて突出片３２としている。一方、樹脂成形品からなる取付部材２１には、図１０に示すように、保護材の端部３０ａを長さ方向の一端側（Ｆ側）から内嵌する断面矩形状の筒状部２２を設けていると共に、該筒状部２２の他端側の端面より、前記保護材３０の突出片３２を重ねてテープ巻き固定するテープ巻き舌片２６を突設している。筒状部２２の断面矩形状の中空部２２Ａを囲む３つの側壁２２ａ−１、２２ａ−２、２２ａ−３には、保護材の端部３０ａの突出片３２を形成している一側面３０ａ−４以外の３つの側面３０ａ−１、３０ａ−２、３０ａ−３を長さ方向の他端側まで貫通させることなく該側壁２２ａ−１、２２ａ−２、２２ａ−３の内面と外面との間に嵌め込む嵌合溝２３を設けている。一方、筒状部２２の１つの側壁２２ａ−４は前記突出片３２を長さ方向に貫通できるように嵌合溝を設けず、該側壁２２ａ−４の内面とテープ巻き舌片２６の内面とを連続させている。また、筒状部２２の対向する側壁２２ａ−４、２２ａ−２の外面には、厚み方向に連続する凹部２４、２５を設け、余長収容ケース１０の出口部１０ｅの端縁１０ｇの両側壁、即ち、出口部１０ｅを形成する周壁１０ｉおよび前記仕切壁１０ｃの内面に厚み方向に連続して設けた凸部１０ｊ、１０ｋ［図１２（Ａ）参照］に前記凹部２４、２５を嵌合させる構成としている。
【００４６】
したがって、図１１（Ｂ）、（Ｃ）に示すように、ワイヤハーネス５に外装した保護材の端部３０ａのうち、３つの側面３０ａ−１、３０ａ−２、３０ａ−３を取付部材２１の筒状部２２の嵌合溝２３に嵌め込むと共に、突出片３２を筒状部２２に貫通させてテープ巻き舌片２６の内面に重ね合わせテープ（Ｔ２）巻き固定することにより、保護材の端部３０ａを取付部材２１に固定することができる。ここで、保護材の端部３０ａの３つの側面３０ａ−１、３０ａ−２、３０ａ−３を筒状部２２の嵌合溝２３に嵌め込んで該側面３０ａ−１、３０ａ−２、３０ａ−３の先端を溝底面に突き当てるようにしているため、取付部材２１に固定する保護材の端部３０ａの位置合わせを容易に行うことができる。
さらに、図１１（Ｄ）に示すように、保護材の端部３０ａから引き出したワイヤハーネス５を取付部材２１のテープ巻き舌片２６にテープ（Ｔ３）巻き固定しておくことも好ましい。
【００４７】
前記のように保護材の端部３０ａを取付部材２１に固定した後、該取付部材２１を図１２（Ａ）に示す余長収容ケース１０の出口部１０ｅの端縁１０ｇに取り付ける。具体的には、前記取付部材２１を余長収容ケース１０の出口部１０ｅの端縁１０ｇに対してケース厚み方向に挿し込み、取付部材２１の凹部２４、２５と、出口部１０ｅの端縁１０ｇ両側の凸部１０ｊ、１０ｋとを嵌合させることで、取付部材２１の取付が完了する［図１２（Ｂ）］。
【００４８】
第２実施形態の取付部材２１によれば、前記保護材の端部３０ａを取付部材２１の筒状部２２の一端側から内嵌すると共に、該保護材の端部３０ａの突出片３２を前記筒状部２２の他端側より突設したテープ巻き舌片２６に重ねてテープ（Ｔ２）巻きすることで、保護材の端部３０ａを取付部材２１に強固に固定することができる。
また、取付部材２１を前記出口部１０ｅの端縁１０ｇに対して余長収容ケース１０の厚さ方向に挿し込んで、筒状部２２の対向する側壁外面２２ａ−４、２２ａ−２に設けた凹部２４、２５に前記出口部１０ｅの端縁１０ｇを挟む両側壁１０ｃ、１０ｉの内面に設けた凸部１０ｊ、１０ｋを嵌合させるだけで出口部１０ｅの端縁１０ｇへの取付部材２１の取り付けが容易に行えるため、狭小スペースの出口部１０ｅ側での固定作業が不要となり、作業性を高めることができる。
【００４９】
なお、前記第１、第２実施形態では、スライドシート１に固定する余長収容ケース１０の出口部１０ｅの端縁１０ｇに、取付部材１１、２１を介して保護材の端部３０ａを固定しているが、車体のフロアに固定する余長収容ケースにおいても、ワイヤハーネスをフロア内に引き出す出口部の端縁に、同様の取付部材１１、２１を介して保護材の端部を固定することができる。
【符号の説明】
【００５０】
１  スライドシート
５  ワイヤハーネス
１０  余長収容ケース
１０ｅ  出口部
１０ｇ  端縁
１０ｈ  被係止穴
１０ｊ、１０ｋ  凸部
１１、２１  取付部材
１２  上片
１２ａ  突出部
１２ｂ  位置決めリブ
１４  下片
１４ａ  係止凸部
２２  筒状部
２３  嵌合溝
２４、２５  凹部
２６  テープ巻き舌片
３０  キャタピラ型の保護材
３０ａ  端部
３１  先端面（開口端）
３２  突出片
４０  平板
４１〜４４  折り曲げライン
４８  切り込みライン
Ｔ１、Ｔ２  テープ
【図１】
2014230339.tif 000003
【図２】
2014230339.tif 000004
【図３】
2014230339.tif 000005
【図４】
2014230339.tif 000006
【図５】
2014230339.tif 000007
【図６】
2014230339.tif 000008
【図７】
2014230339.tif 000009
【図８】
2014230339.tif 000010
【図９】
2014230339.tif 000011
【図１０】
2014230339.tif 000012
【図１１】
2014230339.tif 000013
【図１２】
2014230339.tif 000014
【図１３】
2014230339.tif 000015
【図１４】
2014230339.tif 000016
【図１５】
2014230339.tif 000017
【図１６】
2014230339.tif 000018